(57)【要約】【課題】  会議場に携帯電話持ち込み禁止になっても、電話の着信を所有者に常に通知することで、携帯電話の本来の有用性を維持することが出来る。【解決手段】  ロッカー本体は複数の分離独立した鍵付き小型ボックスとこれら複数の小型ボックスを独立に開閉可能に格納する。各小型ボックスの底面部には携帯電話が置かれた際には押されてオン信号を出力するタッチセンサーと、圧力の変化に対応して交流信号を出力する圧電素子と、開閉部には鍵の固有番号を記憶するとともに鍵が外された状態では鍵オン信号及び固有番号を出力する鍵スイッチと、これらの信号が入力されると固有番号を出力するＡＮＤ回路とを備える。複数の小型ボックスの各ＡＮＤ回路から出力される複数の固有番号が入力されて、これらを順次読み出して出力する信号集合部と、固有番号を外部に搬出するケーブルとを設け、この固有番号を受信して会議場に設置される電子掲示板に固有番号を表示する携帯電話ロッカー。【選択図】図１
2010063075.tif 000002
【特許請求の範囲】
【請求項１】
携帯電話持ち込み禁止の領域から離隔して設けられ鍵により施錠されるロッカーと前記領域に設置される電子掲示板とからなる携帯電話持ロッカーにおいて、
前記ロッカーは複数の分離独立した鍵付き小型ボックスとこれら複数の小型ボックスを独立に開閉可能に格納するロッカー本体とからなり、
前記各小型ボックスは底面部と開閉部からなり、前記底面部には上に携帯電話が置かれた際にはその重力で押されてオン信号を出力するタッチセンサーと、加えられる圧力の変化に対応して交流信号を出力する圧電素子と、前記開閉部には鍵の固有番号のデータを記憶するとともに前記鍵が外された状態では鍵オン信号及び前記固有番号データを出力する鍵スイッチと、前記オン信号と前記交流信号と前記鍵オン信号及び前記固有番号データとが入力されると前記固有番号データを出力するＡＮＤ回路とを備え、
ロッカー本体には前記複数の小型ボックスの前記各ＡＮＤ回路から出力される前記各固有番号データが並列に入力されて、これらを順次読み出して出力する信号集合部とこの信号集合部から前記各固有番号データを外部に搬出するケーブルとを設け、このケーブルから前記各固有番号データを受信して前記領域に設置される電子掲示板に前記各固有番号データを記号及び数字表示することを特徴とする携帯電話持ロッカー。
【請求項２】
携帯電話持ち込み禁止の領域から離隔して設けられ鍵により施錠されるロッカーと前記領域に持ち込み可能なポケット受信機とからなる携帯電話持ロッカーにおいて、
前記ロッカーは複数の分離独立した鍵付き小型ボックスとこれら複数の小型ボックスを独立に開閉可能に格納するロッカー本体とからなり、
前記各小型ボックスは底面部と開閉部からなり、前記底面部には上に携帯電話が置かれた際にはその重力で押されてオン信号を出力するタッチセンサーと、加えられる圧力の変化に対応して交流信号を出力する圧電素子と、前記開閉部には鍵の固有番号のデータを記憶するとともに前記鍵が外された状態では鍵オン信号及び前記固有番号データを出力する鍵スイッチと、前記オン信号と前記交流信号と前記鍵オン信号及び前記固有番号データとが入力されると前記固有番号データを出力するＡＮＤ回路とを備え、
ロッカー本体には前記複数の小型ボックスの前記各ＡＮＤ回路から出力される前記各固有番号データが並列に入力されて、これらを順次読み出して出力する信号集合部とこの信号集合部から前記各固有番号データを受信して変調し電波として外部の空間に放射する通信部とを設け、
前記ポケット受信機には前記電波を受信して検波し前記各固有番号データを再生する受信検波部と、前記各鍵に対応する各固有番号データを予め記憶するメモリと、このメモリから読み出した固有番号データと前記受信検波部からの固有番号データとを比較し一致したら着信オン信号を出力する判定部とこの着信オン信号を受信して振動し又は発光する通知部とを設け、
前記小型ボックスに置いた当該携帯電当話に着信有れば、前記領域に持ち込まれた前記ポケット受信機に着信オン信号が発生すると振動又は発光により着信を通知することを特徴とする携帯電話持ロッカー。
【発明の詳細な説明】
【技術分野】
【０００１】  本発明は、携帯電話ロッカーに関する。特に、会議や講演会での携帯電話持ち込み禁止施設に於ける携帯電話を預けるロッカーに関するものである。
【背景技術】
【０００２】  近来、急速な発展を成し遂げている携帯電話は、公共性のある施設の電車内、バス内、図書館内、病院や美容院や市役所の待合室などでは使用を控えるようにルールとして確立されつつある。
また通話のみならず撮影機能を備える携帯電話は、注意力を要し、秘密性がある会議や講演会、企業見学での携帯電話持ち込み禁止は高い強制力を持って実行されつつある。【０００３】  そして、単に携帯電話を一時的に預ける携帯電話ロッカーについては、内田洋行社や下記のホームページの各社が製造販売している。
ｈｔｔｐ：／／ｗｗｗ．ｓａｔｏ−ｓｔｅｅｌ．ｊｐ／ｐｒｏｄｕｃｔ−ｌｉｓｔ／１２８  ｓａｔｏ  ｓｔｅｅｌ、
【発明の開示】
【発明が解決しようとする課題】
【０００４】  しかしながら、ただ単に携帯電話の持ち込を禁止するだけでは、企業活動に必須な携帯電話の有用性を否定するものとなる。
本発明は、会議や講演会、企業見学での携帯電話持ち込み禁止になっても、電話の着信を所有者に常に通知することで、携帯電話の本来の有用性を維持することが出来る携帯電話ロッカーを提供することを目的としている。
【課題を解決するための手段】
【０００５】  この発明は、上記問題を解決するためになされたもので、携帯電話持ち込み禁止の領域から離隔して設けられ鍵により施錠されるロッカーと前記領域に設置される電子掲示板とからなる携帯電話持ロッカーにおいて、
前記ロッカーは複数の分離独立した鍵付き小型ボックスとこれら複数の小型ボックスを独立に開閉可能に格納するロッカー本体とからなり、
前記各小型ボックスは底面部と開閉部からなり、前記底面部には上に携帯電話４が置かれた際にはその重力で押されてオン信号を出力するタッチセンサー５と、加えられる圧力の変化に対応して交流信号を出力する圧電素子と、前記開閉部には鍵２の固有番号のデータを記憶するとともに前記鍵が外された状態では鍵オン信号及び前記固有番号データを出力する鍵スイッチと、前記オン信号と前記交流信号と前記鍵オン信号及び前記固有番号データとが入力されると前記固有番号データを出力するＡＮＤ回路とを備え、
ロッカー本体には前記複数の小型ボックスの前記各ＡＮＤ回路から出力される前記各固有番号データが並列に入力されて、これらを順次読み出して出力する信号集合部とこの信号集合部から前記各固有番号データを外部に搬出するケーブルとを設け、このケーブルから前記各固有番号データを受信して前記領域に設置される電子掲示板に前記各固有番号データを記号及び数字表示することを特徴とする。
【発明の効果】
【０００６】  会議や講演会、企業見学での携帯電話持ち込み禁止になっていても、携帯電話への着信を所有者に常に通知することで、使用者は必要に応じて発呼者に電話で対応出来るようにし、使用者に安心を抱かせ携帯電話の本来の有用性を維持することが出来る。
【発明を実施するための最良の形態】
【実施例１】
【０００７】以下、本発明の望ましい実施例について詳細に説明する。
図５は、一般的な講演会場を示している、会議室Ｒには多数の机Ｄ１、Ｄ２、Ｄ３・・・が配置され、各机に対応して参加者の聴衆ｈ１、ｈ２、ｈ３・・・が所定の椅子にそれぞれ座っている。これら多数の聴衆の正面には講演者ｋが聴衆に対面して立ち、説明や講演を行っている。
講演者ｋのやや後方で聴衆ｈ１、ｈ２、ｈ３・・・と対面する会議室Ｒ内には電子式掲示板３６が設置されている。この電子式掲示板６は講演者ｋには殆ど見えないが、聴衆ｈ１、ｈ２、ｈ３・・・は、目の焦点を合わせることで、いつでもその表示を見ることができる。【０００８】  聴衆ｈ１、ｈ２、ｈ３・・・の内例えば聴衆ｈ３はポケットにポケット受信機４０を所持している。なお図５ではポケット受信機４０をポケットから取り出した状態で拡大して示しており、ポケット受信機４０は通報部４１を備えている。
次に，図４において、携帯電話ロッカー本体１０は人の背丈ほどで箱状をなし安定して自立可能であり、多数の小型ボックス１、小型ボックス１１、小型ボックス１１１・・・と信号制御部２０と無線送信部３０とを備えている。小型ボックス１は上方は開放された箱であり、携帯電話４がその広い背面や正面を下又は上にして入れられる大きさに形成されている。【０００９】  各小型ボックス１等は本体１０から引出し可能であり、鍵部３を備え、本体１０に押し込まれた状態では鍵部３に鍵２を挿入する。鍵２を回転させて、本体１０に小型ボックス１をロックし、その後鍵２を抜き取る構造になっている。鍵２を回転させない状態では、本体１０に小型ボックス１はロックされず、各小型ボックス１等は本体１０から引出し可能な構造になっている。
小型ボックス１には固有の鍵部３と鍵２が対応している。同様に他の小型ボックス１１、小型ボックス１１１・・・などには、別の固有の鍵部３と鍵２とがそれぞれ対応して設けられている。従って小型ボックス１用の固有の鍵２を、他の小型ボックス１１、小型ボックス１１１・・・など別の固有の鍵部３に差し込むことが出来ない構造になっている。【００１０】  各小型ボックス１、小型ボックス１１、小型ボックス１１１・・・は互いにその構成がほぼ同様であるので、小型ボックス１を代表に以下説明する。
さて、鍵２の表面には小型ボックス１の固有の番号ｄ３２等が表記され、更に内部には電子磁気的に番号ｄ３２等のデータが記録されている。なお図４では、携帯電話４と鍵２は小型ボックス１に対して、説明上拡大して示している。
小型ボックス１には後述する電子回路とセンサーが内蔵され、これらが発生する各種信号は信号制御部２０で処理され、信号ケーブル１２により、又は無線送信部３０により外部に出力される。【００１１】  図２は小型ボックス１を上方から見た平面図．図３は小型ボックス１の側面図による構成を示している。小型ボックス１の底面上にはタッチセンサー５とピエゾ素子６が配置され、これらの上に点線で示す携帯電話４が載置されるようになっている。
タッチセンサー５とピエゾ素子６は薄板状であり、これらは小型ボックス１内の底面の上に並べて配置され、携帯電話４が入れられた状態では、携帯電話４がタッチセンサー５とピエゾ素子６とに同時に接触するように配置される。
なお、タッチセンサー５とピエゾ素子６は小型ボックス１内の底面に埋め込まれて形成してもいい。【００１２】  タッチセンサー５はその上に、携帯電話４が置かれた際にはその重力で押されてオン信号を出力し、携帯電話４がある限りオン信号を持続する。ピエゾ素子６は圧電素子であり、加えられる圧力の変化に対応して交流信号を出力する、即ち上にある携帯電話４が着信で振動した時や、着信音が発生し、空気が振動すると圧力変動を感知して交流信号を出力する。
図２、図３では鍵部３が小型ボックス１の前面形成された図を示し、図５のポケット受信機４０も対応して示している。小型ボックス１内に携帯電話４が置かれない状態では、ポケット受信機４０を代わりに横倒しにして格納することができる。しかしポケット受信機４０は別図示しない所に保管し、そこから取り出して、利用者に渡してもよい。【００１３】  図１で携帯電話ロッカーの電子制御回路図を説明する。
小型ボックス１内には前述したタッチセンサー５とピエゾ素子６及び鍵部３に内蔵される鍵スイッチ３３が設けられている。これらからの各種信号はＡＮＤ回路９に入力され、ＡＮＤ回路９はこれらの３信号を同時に受信した時にのみこれら信号を信号制御部２０の信号集合器８に出力する。
鍵部３の鍵スイッチ３３には対応する鍵２の固有番号ｑ３２等のデータが記録され、鍵スイッチ３３は鍵２が抜き取られると鍵オン信号と合体した固有番号ｑ３２のデータをＡＮＤ回路９に出力する。なお、鍵２の固有番号ｑ３２等のデータは、鍵２から鍵スイッチ３３に読み取るようにしてもよい。【００１４】  なお引き出し式の小型ボックス１を説明したが、ロッカー本体１０を格子状の枠で区画し、各区画に回動式のドアを設けてもよい。この場合は各区画の底面にタッチセンサー５とピエゾ素子６とＡＮＤ回路９を、ドアに鍵部３をそれぞれ配置する。
更にこれら要素部間の配線は小型ボックス１とロッカー本体１０の間、また回動式のドアとロッカー本体１０との間適宜行うことができる。
小型ボックス１と同様に、小型ボックス１１、小型ボックス１１１・・・には、タッチセンサー５とピエゾ素子６及び鍵部３に内蔵される鍵スイッチ３３とＡＮＤ回路９とが設けられ、各ＡＮＤ回路９はこれらが発生する３信号を同時に受信した時にこれら３信号を信号制御部２０の信号集合器８にそれぞれ同様に出力する。
信号集合器８では各小型ボックス１、小型ボックス１１、小型ボックス１１１・・・からの各３信号を順次スキャンして読み出しデコーダ７に出力する。デコーダ７では各３信号から各鍵部３からの固有番号ｑ３２等のデータ（鍵オン信号を含むが以下省略する）を文字・数字コードに変換して信号ケーブル１２に順次出力する。【００１５】  信号ケーブル１２からの固有番号ｑ３２等のデータは会議室の電子表示装置６に送られる。電子表示装置６では各小型ボックス１等の鍵２の番号に対応している固有番号ｑ３２等のデータを数字や記号として表示する。
タッチセンサー５は物体が接触するとオン信号を出力する、携帯電話４をその上に置くとその重さにより押されるので、携帯電話４が置かれた状態では、取り出すまで、オン信号を出力している。【００１６】  ピエゾ素子６は変動する圧縮力をうけると振動信号を発生し、接触している携帯電話４に着信があり、着信音による空気振動や振動モード時の携帯電話４自体の振動により振動信号を発生する。鍵部３の鍵スイッチ３３は鍵２が抜き取られた時にオン信号と固有番号ｑ３２等のデータを出力する、鍵２が抜き取られた状態では、次に差し込むまで、オン信号固有番号ｑ３２等のデータを出力している。
鍵部３と鍵スイッチ３３と鍵２の構成と機能及び、各小型ボックス１等をロッカー本体１０に押し込み、鍵部３にある鍵２を回動してロックする構成と機能は市場に出回っている通常の携帯ロッカーと同様であり、説明を省略する。【００１７】  次にポケット受信機４０の構成を説明する。
ポケット受信機４０は電波Ｚ２を受信し検波して有番号ｑ３２等のデータを出力する受信検波部４２と、メモリ４３と、読み取り部４４と、受信検波部４２が出力する有番号ｑ３２等のデータとメモリ４３に記録された固有番号ｑ３２のデータと比較し、これらが一致すれば着信オン信号の通知信号Ｐを出力する判定部４５と、これ通知信号Ｐを受けて点灯し、又は振動する通知部４１とから構成される。通知部４１は電気信号により発光するダイオードや振動するピエゾ素子でもいいし、これらを並列に同時に設けてもいい。【００１８】  次に動作について説明する。
図５の会議場や講演会場の会議室Ｒには携帯電話も仕込み禁止である、通常電源を切るか、振動モードへの設定が主催者から要請されるが、近年忘れたり、違反者が居たりするので、原則的に会議室Ｒ入り口でチェックして持ち込み自体を禁止するようにしている。
そこで、聴衆ｈ１は会議室Ｒ外の別室や廊下に行き、図４のロッカー本体１０に携帯電話４を預ける。好みの例えば小型ボックス１をロッカー本体１０から引き出し、中にポケット受信機４０があれば取り出して、代わりに携帯電話４を入れる、無ければそのまま入れる。【００１９】  次に、聴衆ｈ１は携帯電話４をいれた小型ボックス１をロッカー本体１０に押し込み、鍵部３にある鍵２を回動してロックする。聴衆ｈ１は鍵２を抜き取り、鍵２に表示された固有番号ｑ３２を確かめる。
携帯電話４の重みでタッチセンサー５はオン信号を、鍵スイッチ３３は鍵２が抜き取られたので固有番号ｑ３２のデータ  をそれぞれＡＮＤ回路９に出力する。
その後聴衆ｈ１、ｈ２、ｈ３・・・は図５の会議場や講演会場の会議室Ｒに入場し、机Ｄ１、Ｄ２、Ｄ３・・・に着席して会議等に聴衆として参加する。聴衆ｈ１等はｋと対面するとともに、時々電子表示装置６を見ることができる。例えば聴衆ｈ１の携帯電話４に呼び出し着信があると、携帯電話４は振動するか呼び出し音を発生する。小型ボックス１のタッチセンサー５はオン信号を、鍵スイッチ３３は固有番号ｑ３２のデータをそれぞれＡＮＤ回路９に出力しており、更にピエゾ素子６は携帯電話４の振動により又は着信音による空気振動により圧縮力を受けて、振動信号を発生する。【００２０】  ＡＮＤ回路９はこれらの３信号を同時に受信しこれら信号を信号集合器８に出力する。
信号集合器８では各小型ボックス１と、別途受信のある小型ボックス１１や小型ボックス１１１・・・からの各３信号を順次スキャンして読み出しデコーダ７に出力する。デコーダ７では各３信号から各鍵部３からの固有番号ｑ３２等のデータのみを信号ケーブル１２に順次出力する。【００２１】  信号ケーブル１２からの固有番号ｑ３２等のデータは会議室の電子表示装置６に送られる。電子表示装置６では各小型ボックス１等の鍵２の番号に対応している固有番号ｑ３２等のデータが数字や記号として表示される。
聴衆ｈ１は自己の鍵２の番号が電子表示装置６されると、着信ありとして、席を立ちＲを出て、ロッカー本体１０の置かれた所に行き、所持する鍵２により該当番号の小型ボックス１を空けて携帯電話４を取り出し電話に出たり、掛け直したりする。携帯電話４を小型ボックス１取り出すと、タッチセンサー５のオン信号が消えるので、電子表示装置６上の固有番号ｑ３２も消去される。【００２２】  小型ボックス１からポケット受信機４０取り出して、鍵２とともに所持した場合について聴衆ｈ１を代表して説明する。
聴衆ｈ１はポケット受信機４０の読み取り部４４に鍵２を接近・接触させる。すると読み取り部４４は鍵２からその固有番号ｑ３２のデータを受け取りメモリ４３に記録する。
携帯電話４の重みで小型ボックス１のタッチセンサー５はオン信号を、鍵スイッチ３３は鍵２が抜き取られたので固有番号ｑ３２のデータをそれぞれＡＮＤ回路９に出力する。
その後聴衆ｈ１は図５の会議場や講演会場の会議室Ｒに入場し、机Ｄ１の位置に着席して会議等に聴衆として参加する。聴衆ｈ１は時々電子表示装置６を見とともにポケット受信機４０を見たりできる。【００２３】  別室のロッカー本体１０にある聴衆ｈ１の携帯電話４に外部から電波Ｚにより着信があると、携帯電話４は振動するか呼び出し音を発生する。小型ボックス１のタッチセンサー５はオン信号を、鍵スイッチ３３は固有番号ｑ３２のデータをそれぞれＡＮＤ回路９に出力しており、更にピエゾ素子６は携帯電話４の振動により又は着信音による空気振動により圧縮力を受けて、振動信号を発生する。
ＡＮＤ回路９はこれらの３信号を同時に受信しこれら信号を信号集合器８に出力する。【００２４】  信号集合器８では各小型ボックス１と、別途受信のある小型ボックス１１や小型ボックス１１１・・・からの各３信号を順次スキャンして読み出しデコーダ７に出力する。デコーダ７では各３信号から各鍵部３からの固有番号ｑ３２等のデータのみを信号ケーブル１２経由で無線送信機３０に順次出力する。【００２５】  無線送信機３０では有番号ｑ３２等のデータを変調し電波Ｚ２として外部に発射する、この電波Ｚ２は会議室に伝搬する。各ポケット受信機４０の受信検波部４２は電波Ｚ２を受信し検波して有番号ｑ３２等のデータを判定部４５に送る。判定部４５では電波Ｚ２からの有番号ｑ３２等のデータと、メモリ４３に記録された固有番号ｑ３２のデータと比較し、これらが一致すれば通知信号Ｐを通知部４１に出力する。通知部４１が発光体であれば点灯し、振動体であれば振動する。【００２６】  これにより聴衆ｈ１は自己のポケット受信機４０が点灯し、又は振動したら、着信ありとして、席を立ち会議室Ｒを出て、１０の置かれた所に行き、所持する鍵２により該当番号の小型ボックス１を空けて携帯電話４を取り出し電話に出たり、掛け直したりする。携帯電話４を小型ボックス１取り出すと、タッチセンサー５のオン信号が消えるので、ポケット受信機４０が点灯や振動も消去される。【００２７】  会議室Ｒの場合は、電子表示装置６又は、ポケット受信機４０の形態もしくは両方設置使用が可能である。また最近の携帯電話４はカメラ付きであり、カメラ禁止での工場見学や美術館見物の場合は電子表示装置６の設置が困難であるので、ポケット受信機４０のみの実施形態が有用となる。【００２８】  本発明を複数の実施例によって詳細に説明したが、本発明はこれら実施例によって限定されず、本発明が属する技術分野において通常の知識を有するものであれば本発明の思想と精神を離れることなく、本発明を修正または変更できる。
【産業上の利用可能性】
【００２９】  現代人が、必要上で習慣化している携帯電話４の使用と携帯を、禁止している会議場、病院、工場内、美術館、図書館などで、携帯電話４の無い不便さを最小限に抑えることが出来る。最小の時間をかければ必要に応じて、携帯電話４が自由に使用できるようになる。顧客や急用の相手との通信を常時観測できるので、安心して会議等に臨むことができる。
【図面の簡単な説明】
【００３０】
【図１】この発明の携帯電話ロッカーの全体の回路構成を示す図である。
【図２】この発明の携帯電話ロッカーの一部の平面図である。
【図３】図２の矢視Ａ方向の側面図である。
【図４】この発明の携帯電話ロッカーの全体の要部の概観を示す図である。
【図５】この発明の携帯電話ロッカーの一部と使用状況を示す図である。
【符号の説明】
【００３１】１  小型ボックス                ２  鍵
３  鍵部                        ４  携帯電話
５  タッチセンサー              ６  ピエゾ素子
７  デコーダ                    ８  信号集合器
９  ＡＮＤ回路                  １０  携帯電話ロッカー本体
１１  小型ボックス              １２  信号ケーブル
１９  記憶装置                  ２０  信号制御部
３０  無線送信部                ３１  通信部
３３  鍵スイッチ                ３６  電子式掲示板
４０  ポケット受信機            ４１  通知部
４２  受信検波部                ４３  メモリ
４４  読み取り部                ４５  判定部
Ｄ１、Ｄ２、Ｄ３  机            ｈ１、ｈ２、ｈ３  聴衆
ｋ  講演者                      Ｐ  通知信号
Ｚ、Ｚ２  電波                  Ｒ  会議室
【図１】
2010063075.tif 000003
【図２】
2010063075.tif 000004
【図３】
2010063075.tif 000005
【図４】
2010063075.tif 000006
【図５】
2010063075.tif 000007